(57)【特許請求の範囲】
【請求項１】
放射線源から照射され被写体を透過した放射線を検出し、放射線画像情報に変換可能な放射線変換パネルが収容された筐体と、
前記筐体における少なくとも２側面以上に設けられ、被写体情報等を表示可能な複数の表示部と、
前記複数の表示部のうちで外部から視認可能な表示部を選択する選択手段と、
を備え、
前記選択手段によって選択された表示部に対して前記被写体情報等を表示することを特徴とするカセッテ。
【請求項２】
請求項１記載のカセッテにおいて、
前記選択手段は、前記表示部近傍における前記被写体の状態を検出可能な検出部と、
前記検出部よる検出結果に基づいて複数の表示部のうちで前記被写体に対峙していない表示部を判定する判定手段と、
を備え、
前記検出部は、前記複数の表示部に対応して複数設けられることを特徴とするカセッテ。
【請求項３】
請求項２記載のカセッテにおいて、
前記検出部は、発光光を発光する発光部と該発光光を受光する受光部とを有し、前記受光部による前記発光光の受光状態に応じて前記表示部近傍に対峙する前記被写体の有無を検出可能な光センサからなることを特徴とするカセッテ。
【請求項４】
請求項２又は３記載のカセッテにおいて、
前記検出部は、前記筐体において前記表示部近傍に付与される荷重を検出する圧力センサからなることを特徴とするカセッテ。
【請求項５】
請求項１〜４のいずれか１項に記載のカセッテにおいて、
前記表示部は、前記筐体が前記被写体と該被写体が臥位する臥台との間に設置された際に、前記被写体及び臥台に対峙しない前記筐体の側面に設けられることを特徴とするカセッテ。
【発明の詳細な説明】
【技術分野】
【０００１】
本発明は、被写体を透過した放射線を放射線画像情報に変換する放射線変換パネルを収容するカセッテに関する。
【背景技術】
【０００２】
医療分野において、被写体に放射線を照射し、被写体を透過した放射線を放射線変換パネルに導いて放射線画像を撮影する放射線画像撮影装置が広汎に使用されている。この場合、放射線変換パネルとしては、放射線画像が露光記録される従来からの放射線フイルムや、蛍光体に放射線画像としての放射線エネルギを蓄積し、励起光を照射することで放射線画像を輝尽発光光として取り出すことのできる蓄積性蛍光体パネルが知られている。これらの放射線変換パネルは、筐体を有するカセッテ内に収容され、放射線画像が記録された放射線フイルムを現像装置に供給して現像処理を行い、あるいは、蓄積性蛍光体パネルを読取装置に供給して読取処理を行うことで、可視画像としての放射線画像が得られる。
【０００３】
このカセッテは、筐体のケース板に散乱放射線を除去可能なグリッドと、電源スイッチ等を含む操作部と、前記操作部による操作情報、患者情報、警告等が表示される表示部を備えている（例えば、特許文献１参照）。
【０００４】
【特許文献１】特開２００３−１７２７８３号公報
【発明の開示】
【発明が解決しようとする課題】
【０００５】
ところで、特許文献１に係る従来技術においては、カセッテにおける表示部が、患者に対峙する筐体の上面に設けられているため、撮影時に前記カセッテの上部に患者が臥位した場合には、前記表示部が前記患者によって覆われてしまうこととなり、医師等が前記表示部を視認することが困難となり、患者情報等の確認に支障を来すことが懸念される。
【０００６】
また、患者の患部に応じて筐体の使用方向を変更した場合、表示部が医師等から離間して視認不可能な位置に配置されることがあり、前記表示部による患者情報や警告等の確認が困難となる。一方、表示部の位置を考慮してカセッテを設置した場合、前記カセッテの使用方向が制約されてしまうこととなり、撮影作業の効率が低下してしまう。
【０００７】
本発明は、前記の種々の課題を考慮してなされたものであり、作業者が所望の方向から被写体情報等を表示する表示部を確実且つ容易に視認することが可能なカセッテを提供することを目的とする。
【課題を解決するための手段】
【０００８】
前記の目的を達成するために、本発明は、放射線源から照射され被写体を透過した放射線を検出し、放射線画像情報に変換可能な放射線変換パネルが収容された筐体と、
前記筐体における少なくとも２側面以上に設けられ、被写体情報等を表示可能な複数の表示部と、
前記複数の表示部のうちで外部から視認可能な表示部を選択する選択手段と、
を備え、
前記選択手段によって選択された表示部に対して前記被写体情報等を表示することを特徴とする。
【発明の効果】
【０００９】
本発明によれば、放射線変換パネルの収容された筐体には、少なくとも２側面以上に被写体情報等を表示可能な表示部が複数設けられ、複数の表示部のうちで外部から視認可能な表示部を選択手段を介して選択し、該表示部に対して前記被写体情報等を表示する。従って、筐体を含むカセッテが被写体と臥台との間に設置された際、該被写体によって覆われた表示部に表示することなく、該被写体に覆われることなく外部から視認可能な表示部に対して選択的に表示することができる。その結果、医師等の作業者がカセッテの表示部を確実且つ容易に視認することができるため、それに伴って、前記表示部に表示される被写体情報等を確実に確認することができる。
【発明を実施するための最良の形態】
【００１０】
図１は、本実施の形態に係るカセッテを含む放射線画像撮影システム１０が設置された手術室１２の説明図である。手術室１２には、放射線画像撮影システム１０に加えて、患者（被写体）１４が横臥する手術台（臥台）１６が配置されると共に、医師１８が手術に使用する各種器具が載置される器具台２０が手術台１６の側部に配置される。また、手術台１６には、麻酔器、吸引器、心電計、血圧計等、手術に必要な様々な機器が配置される。
【００１１】
放射線画像撮影システム１０は、撮影条件に従った線量からなる放射線Ｘを患者１４に照射する撮影装置２２と、患者１４を透過した放射線Ｘを検出する放射線検出器（放射線変換パネル）４４（後述する）を内蔵した放射線検出カセッテ（カセッテ）２４と、放射線検出器４４によって検出された放射線Ｘに基づく放射線画像を表示する表示装置２６と、前記撮影装置２２、放射線検出カセッテ２４及び表示装置２６を制御するコンソール２８とを備える。この撮影装置２２、放射線検出カセッテ２４、表示装置２６及びコンソール２８間では、無線通信による信号の送受信が行われる。
【００１２】
撮影装置２２は、複数の自在アーム３０によって移動自在に設けられ、患者１４の撮影部位に応じた所望の位置に移動可能であると共に、医師１８による手術の邪魔とならない位置に待避可能である。同様に、表示装置２６は、自在アーム３２に連結され、撮影された放射線画像を医師１８が容易に確認できる位置に移動可能である。
【００１３】
図２〜図４は、放射線検出カセッテ２４の構成図である。放射線検出カセッテ２４は、放射線Ｘを透過させる材料からなるケーシング（筐体）３４を備える。ケーシング３４は、略長方形状で所定間隔離間した一組の平板部３６ａ、３６ｂと、前記平板部３６ａ、３６ｂ同士を接続し、その四方を取り囲むように略直交した４つの壁部３８ａ〜３８ｄ（側面）とから構成され、中空状となる放射線検出カセッテ２４の内部には、放射線Ｘが照射されるケーシング３４の照射面４０側から、患者１４による放射線Ｘの散乱線を除去するグリッド４２、患者１４を透過した放射線Ｘを検出する放射線検出器４４、及び、放射線Ｘのバック散乱線を吸収する鉛板４６が順に配設される。なお、ケーシング３４の照射面４０をグリッド４２として構成してもよい。
【００１４】
また、ケーシング３４の内部には、放射線検出カセッテ２４の電源であるバッテリ４８と、前記バッテリ４８から供給される電力により放射線検出器４４を駆動制御するカセッテ制御部５０と、前記放射線検出器４４によって検出した放射線Ｘの情報を含む信号をコンソール２８との間で送受信する送受信機５２とが収容されると共に、前記ケーシング３４の壁部３８ａ〜３８ｄには、例えば、患者１４のＩＤ情報等を表示可能なＩＤ表示部５４が設けられる。
【００１５】
このＩＤ表示部５４は、例えば、液晶ディスプレイからなり、各壁部３８ａ〜３８ｄにそれぞれ設けられる第１〜第４ディスプレイ５６ａ〜５６ｄで構成され、ケーシング３４の外部にそれぞれ露呈するように配設される。
【００１６】
さらに、ケーシング３４の内部には、壁部３８ａ〜３８ｄに臨み、第１〜第４ディスプレイ５６ａ〜５６ｄ近傍における障害物の有無を検知可能な第１検出部５８と、前記第１〜第４ディスプレイ５６ａ〜５６ｄ近傍に付与される荷重を検知可能な第２検出部６０とが設けられる。
【００１７】
第１検出部５８は、例えば、発光光を発光する発光素子（発光部）６２と、該発光光を受光する受光素子（受光部）６４とが並設され、同一方向に臨むように配置された反射型フォトセンサが用いられ、第１〜第４ディスプレイ５６ａ〜５６ｄに対応するように設けられた第１〜第４フォトセンサ６６ａ〜６６ｄからなる。この発光素子６２及び受光素子６４は、ケーシング３４において平板部３６ａ、３６ｂ側となるように上下方向に一直線上に並んで配置されている。
【００１８】
第１〜第４フォトセンサ６６ａ〜６６ｄは、ケーシング３４の壁部３８ａ〜３８ｄにおいて第１〜第４ディスプレイ５６ａ〜５６ｄの側方に開口した検出孔６８に臨むように設けられ、該検出孔６８を通じてケーシング３４の外部に露呈している。すなわち、ケーシング３４が患者１４と手術台１６との間に設置された際、検出孔６８が水平方向にそれぞれ開口し、第１〜第４フォトセンサ６６ａ〜６６ｄを構成する発光素子６２及び受光素子６４が側方に臨むように配置されている。
【００１９】
そして、この発光素子６２から発光された発光光が、検出孔６８を通じてケーシング３４の外部へと照射され、前記検出孔６８に対峙する位置に障害物があった場合には、該障害物に当たって反射してくる前記発光光が受光素子６４で受光され、それに伴う検出信号を前記第１〜第４フォトセンサ６６ａ〜６６ｄからカセッテ制御部５０へと出力する。一方、発光素子６２からの発光光が、前記受光素子６４で検知されない場合には、検出孔６８に対峙する位置に障害物がないことが確認される。すなわち、第１〜第４フォトセンサ６６ａ〜６６ｄからなる第１検出部５８によって第１〜第４ディスプレイ５６ａ〜５６ｄに対峙する位置に障害物があるか否かが検出される。
【００２０】
第２検出部６０は、例えば、歪みゲージ等の圧力センサからなり、前記第１〜第４ディスプレイ５６ａ〜５６ｄ近傍となる各壁部３８ａ〜３８ｄにそれぞれ設けられる第１〜第４圧力センサ７０ａ〜７０ｄから構成される。なお、この第１〜第４圧力センサ７０ａ〜７０ｄを、各壁部３８ａ〜３８ｄに設けることなく、該壁部３８ａ〜３８ｄ近傍となる平板部３６ａ、３６ｂに対して設けるようにしてもよい。
【００２１】
そして、放射線検出カセッテ２４が患者１４と手術台１６との間に設置された際、該患者１４からケーシング３４の第１〜第４ディスプレイ５６ａ〜５６ｄ近傍に付与される荷重が、第１〜第４圧力センサ７０ａ〜７０ｄによってそれぞれ検出され、その検出結果が検出信号としてカセッテ制御部５０へと出力される。これにより、第１〜第４ディスプレイ５６ａ〜５６ｄ近傍に付与された荷重値が確認される。
【００２２】
なお、カセッテ制御部５０、送受信機５２、第１及び第２検出部５８、６０には、放射線Ｘが照射されることによる損傷を回避するため、ケーシング３４の照射面４０側に鉛板等を配設しておくことが好ましい。
【００２３】
図５は、放射線検出器４４の回路構成ブロック図である。放射線検出器４４は
、放射線Ｘを感知して電荷を発生させるアモルファスセレン（ａ−Ｓｅ）等の物質からなる光電変換層７２を行列状の薄膜トランジスタ（ＴＦＴ：Ｔｈｉｎ  Ｆｉｌｍ  Ｔｒａｎｓｉｓｔｏｒ）７３のアレイの上に配置した構造を有し、発生した電荷を蓄積容量７４に蓄積した後、各行毎にＴＦＴ７３を順次オンにして、電荷を画像信号として読み出す。図５では、光電変換層７２及び蓄積容量７４からなる１つの画素７５と１つのＴＦＴ７３との接続関係のみを示し、その他の画素７５の構成については省略している。なお、アモルファスセレンは、高温になると構造が変化して機能が低下してしまうため、所定の温度範囲内で使用する必要がある。従って、放射線検出カセッテ２４内に放射線検出器４４を冷却する手段を配設することが好ましい。
【００２４】
各画素７５に接続されるＴＦＴ７３には、行方向と平行に延びるゲート線７６と、列方向と平行に延びる信号線７８とが接続される。各ゲート線７６は、ライン走査駆動部８０に接続され、各信号線７８は、読取回路を構成するマルチプレクサ８８に接続される。
【００２５】
ゲート線７６には、行方向に配列されたＴＦＴ７３をオンオフ制御する制御信号Ｖｏｎ、Ｖｏｆｆがライン走査駆動部８０から供給される。この場合、ライン走査駆動部８０は、ゲート線７６を切り替える複数のスイッチＳＷ１と、スイッチＳＷ１の１つを選択する選択信号を出力するアドレスデコーダ８２とを備える。アドレスデコーダ８２には、カセッテ制御部５０からアドレス信号が供給される。
【００２６】
また、信号線７８には、列方向に配列されたＴＦＴ７３を介して各画素７５の蓄積容量７４に保持されている電荷が流出する。この電荷は、増幅器８４によって増幅される。増幅器８４には、サンプルホールド回路８６を介してマルチプレクサ８８が接続される。マルチプレクサ８８は、信号線７８を切り替える複数のスイッチＳＷ２と、スイッチＳＷ２の１つを選択する選択信号を出力するアドレスデコーダ９０とを備える。アドレスデコーダ９０には、カセッテ制御部５０からアドレス信号が供給される。マルチプレクサ８８には、Ａ／Ｄ変換器９２が接続され、Ａ／Ｄ変換器９２によってデジタル信号に変換された放射線画像情報がカセッテ制御部５０に供給される。
【００２７】
図６は、撮影装置２２、放射線検出カセッテ２４、表示装置２６及びコンソール２８からなる放射線画像撮影システム１０の構成ブロック図である。
【００２８】
撮影装置２２は、撮影スイッチ９４と、放射線Ｘを出力する放射線源９６と、コンソール２８から無線通信により撮影条件を受信する一方、コンソール２８に対して無線通信による撮影完了信号等を送信する送受信機９８と、撮影スイッチ９４から供給される撮影開始信号及び送受信機９８から供給される撮影条件に基づいて放射線源９６を制御する線源制御部１００とを備える。
【００２９】
放射線検出カセッテ２４には、放射線検出器４４、バッテリ４８、カセッテ制御部５０、送受信機５２、ＩＤ表示部５４、第１及び第２検出部５８、６０が収容される。
【００３０】
カセッテ制御部５０は、放射線検出器４４を構成するライン走査駆動部８０のアドレスデコーダ８２及びマルチプレクサ８８のアドレスデコーダ９０に対してアドレス信号を供給するアドレス信号発生部１０２と、放射線検出器４４によって検出された放射線画像情報を記憶する画像メモリ１０４と、該放射線検出カセッテ２４を特定するためのカセッテＩＤ情報を記憶するカセッテＩＤメモリ１０６と、前記第１及び第２検出部５８、６０の検出結果が入力され、ＩＤ表示部５４を構成する第１〜第４ディスプレイ５６ａ〜５６ｄにおいて患者１４等の障害物によって覆われておらず外部から視認可能なディスプレイを判定する状態判定部（判定手段）１０８とを備える。
【００３１】
この状態判定部１０８は、第１検出部５８を構成する第１〜第４フォトセンサ６６ａ〜６６ｄにおいて、発光素子６２からの発光光が受光素子６４で受光された場合に、該第１検出部５８に臨む位置、すなわち、第１検出部５８近傍に設けられた第１〜第４ディスプレイ５６ａ〜５６ｄに臨む位置に障害物があると判定する。一方、第１検出部５８において発光光が受光素子６４で受光されなかった場合には、前記第１検出部５８近傍に設けられた第１〜第４ディスプレイ５６ａ〜５６ｄに臨む位置に障害物がないと判定する。
【００３２】
また、状態判定部１０８は、第２検出部６０を構成する第１〜第４圧力センサ７０ａ〜７０ｄの検出結果に基づいて該第１〜第４圧力センサ７０ａ〜７０ｄにおける荷重値の大きさを比較し、より大きな荷重値の検出された前記第１〜第４圧力センサ７０ａ〜７０ｄの配置場所に基づきケーシング３４において患者１４からの荷重が付与された部位を判定する。
【００３３】
すなわち、荷重の検出されたケーシング３４の部位は、患者１４の体重が付与されているため、その上部に前記患者１４が横臥していると判定され、一方、荷重の検出されていないケーシング３４の部位には、前記患者１４の体重が付与されていないため、その上部に前記患者１４が横臥していないと判定される。
【００３４】
送受信機５２は、コンソール２８から無線通信により送信要求信号を受信する一方、前記コンソール２８に対して、カセッテＩＤメモリ１０６に記憶されたカセッテＩＤ情報、画像メモリ１０４に記憶された放射線画像情報を無線通信により送信する。
【００３５】
表示装置２６は、コンソール２８から放射線画像情報を受信する受信機１１０と、受信した放射線画像情報の表示制御を行う表示制御部１１２と、前記表示制御部１１２によって処理された放射線画像情報を表示する表示部１１４とを備える。
【００３６】
コンソール２８は、撮影装置２２、放射線検出カセッテ２４及び表示装置２６に対して、放射線画像情報、位置情報等を含む必要な情報を無線通信により送受信する送受信機１１６と、撮影装置２２による撮影に必要な撮影条件を管理する撮影条件管理部１１８と、放射線検出カセッテ２４から送信された放射線画像情報に対する画像処理を行う画像処理部１２０と、処理した放射線画像情報を記憶する画像メモリ１２２と、撮影対象である患者１４の患者情報を管理する患者情報管理部１２４と、放射線検出カセッテ２４から送信されたカセッテ情報を管理するカセッテ情報管理部１２６とを備える。なお、コンソール２８は、撮影装置２２、放射線検出カセッテ２４及び表示装置２６に対して無線通信による信号の送受信を行うことができるのであれば、手術室１２の外に設置してもよい。
【００３７】
本実施の形態の放射線検出カセッテ２４が用いられた放射線画像撮影システム１０は、基本的には以上のように構成されるものであり、次にその動作について説明する。
【００３８】
放射線画像撮影システム１０は、手術室１２に設置されており、例えば、医師１８による患者１４の手術中において、放射線画像の撮影が必要となった際に使用される。そのため、撮影対象である患者１４の患者情報は、撮影に先立ち、コンソール２８の患者情報管理部１２４に予め登録される。また、撮影部位や撮影方法が予め決まっている場合には、これらの撮影条件を撮影条件管理部１１８に予め登録しておく。以上の準備作業が終了した状態において、患者１４に対する手術が遂行される。
【００３９】
手術中において放射線画像の撮影を行う場合、医師１８又は担当する放射線技師は、患者１４と手術台１６との間の所定位置に、照射面４０を撮影装置２２側とした状態で放射線検出カセッテ２４を設置する。
【００４０】
この際、図７に示されるように、第１検出部５８を構成する第１〜第４フォトセンサ６６ａ〜６６ｄの発光素子６２から発光光が照射され、患者１４の脚部１４ａ及び頭部１４ｂに対峙した第２及び第４フォトセンサ６６ｂ、６６ｄの発光光が前記患者１４に反射した後、受光素子６４によって受光されると共に、前記患者１４に対峙していない第１及び第３フォトセンサ６６ａ、６６ｃの発光光は、該患者１４に反射することがなく、受光素子６４によって受光されることがない。
【００４１】
また、同時に、患者１４の脚部１４ａによって第２圧力センサ７０ｂの設けられた壁部３８ｂに対して大きな荷重が付与されると共に、前記患者１４の頭部１４ｂによって第４圧力センサ７０ｄの設けられた壁部３８ｄに対しても大きな荷重が付与され、前記第２及び第４圧力センサ７０ｂ、７０ｄによって前記荷重が検出される。なお、第１及び第３圧力センサ７０ａ、７０ｃの配設される壁部３８ａ、３８ｃには、その上方に患者１４が横臥していないため、比較的小さな荷重が付与され、前記第１及び第３圧力センサ７０ａ、７０ｃによって検出される荷重値は、第２及び第４圧力センサ７０ｂ、７０ｄで検出される荷重値に対して小さいものとなる。
【００４２】
そして、第２及び第４フォトセンサ６６ｂ、６６ｄから検出信号が状態判定部１０８へと出力されると共に、荷重が検出された第１〜第４圧力センサ７０ａ〜７０ｄから検出信号が前記状態判定部１０８へと出力される。この状態判定部１０８において、第１及び第２検出部５８、６０からの検出信号に基づいて第２及び第４ディスプレイ５６ｂ、５６ｄ近傍に患者１４が横臥し、該患者１４によって前記第２及び第４ディスプレイ５６ｂ、５６ｄの正面が覆われていると判断され、反対に、第１及び第３ディスプレイ５６ａ、５６ｃ近傍には患者１４が横臥していないため、前記第１及び第３ディスプレイ５６ａ、５６ｃの正面が前記患者１４によって覆われることがなく開放された状態にあると判断される。
【００４３】
これに基づいて、コンソール２８から送受信機１１６を介して送信された患者情報、撮影条件、カセッテ情報等が状態判定部１０８を通じてＩＤ表示部５４の第１及び第３ディスプレイ５６ａ、５６ｃに対して選択的に出力されて表示される。すなわち、状態判定部１０８は、第１及び第２検出部５８、６０の検出結果に基づいて患者１４によって覆われておらず、外部から視認可能な第１〜第４ディスプレイ５６ａ〜５６ｄのいずれかに対して患者情報等を選択的に出力する選択手段として機能する。
【００４４】
これにより、患者１４によって覆われていない第１及び第３ディスプレイ５６ａ、５６ｃを通じて医師１８及び放射線技師が患者情報、撮影条件、カセッテ情報等を確実且つ容易に確認することができる。なお、この場合、第２及び第４ディスプレイ５６ｂ、５６ｄには、状態判定部１０８から出力信号が出力されることがないため、前記第２及び第４ディスプレイ５６ｂ、５６ｄには患者情報等が表示されることがない。
【００４５】
このように、ＩＤ表示部５４において選択的に表示された患者情報等を医師１８等が確認した後、撮影装置２２を放射線検出カセッテ２４に対向する位置に移動させ、撮影スイッチ９４を操作して撮影を行う。撮影装置２２の線源制御部１００は、送受信機５２、９８を介して、コンソール２８の撮影条件管理部１１８より当該患者１４の撮影部位に係る撮影条件を無線通信により取得し、取得した撮影条件に従って放射線源９６を制御することにより、所定の線量からなる放射線Ｘを患者１４に照射する。
【００４６】
患者１４を透過した放射線Ｘは、放射線検出カセッテ２４のグリッド４２によって散乱線が除去された後、放射線検出器４４に照射され、放射線検出器４４を構成する各画素７５の光電変換層７２によって電気信号に変換され、蓄積容量７４に電荷として保持される（図５参照）。次いで、各蓄積容量７４に保持された患者１４の放射線画像情報である電荷情報は、カセッテ制御部５０を構成するアドレス信号発生部１０２からライン走査駆動部８０及びマルチプレクサ８８に供給されるアドレス信号に従って読み出される。
【００４７】
すなわち、ライン走査駆動部８０のアドレスデコーダ８２は、アドレス信号発生部１０２から供給されるアドレス信号に従って選択信号を出力してスイッチＳＷ１の１つを選択し、対応するゲート線７６に接続されたＴＦＴ７３のゲートに制御信号Ｖｏｎを供給する。一方、マルチプレクサ８８のアドレスデコーダ９０は、アドレス信号発生部１０２から供給されるアドレス信号に従って選択信号を出力してスイッチＳＷ２を順次切り替え、ライン走査駆動部８０によって選択されたゲート線７６に接続された各画素７５の蓄積容量７４に保持された電荷情報である放射線画像情報を信号線７８を介して順次読み出す。
【００４８】
各放射線検出器４４の選択されたゲート線７６に接続された各画素７５の蓄積容量７４から読み出された放射線画像情報は、各増幅器８４によって増幅された後、サンプルホールド回路８６によってサンプリングされ、マルチプレクサ８８を介してＡ／Ｄ変換器９２に供給され、デジタル信号に変換される。デジタル信号に変換された放射線画像情報は、カセッテ制御部５０の画像メモリ１０４に一旦記憶された後、送受信機５２を介して、無線通信によりコンソール２８に送信される。
【００４９】
コンソール２８に送信された放射線画像情報は、送受信機１１６によって受信され、画像処理部１２０において所定の画像処理が施された後、患者情報管理部１２４に登録されている患者１４の患者情報と関連付けられた状態で画像メモリ１２２に記憶される。
【００５０】
また、画像処理の施された放射線画像情報は、送受信機１１６から表示装置２６に送信される。受信機１１０によって放射線画像情報を受信した表示装置２６は、表示制御部１１２によって表示部１１４を制御し、放射線画像を表示する。医師１８は、表示部１１４に表示された放射線画像を確認しながら手術を遂行する。
【００５１】
この場合、放射線検出カセッテ２４とコンソール２８との間、撮影装置２２とコンソール２８との間、及び、コンソール２８と表示装置２６との間には、信号を送受信するためのケーブルが連結されていないため、例えば、手術室１２の床面にこれらのケーブルが配設されることがなく、医師１８等の作業に支障を来すおそれがない。
【００５２】
なお、上述した本実施の形態では、第１〜第４フォトセンサ６６ａ〜６６ｄからなり、第１〜第４ディスプレイ５６ａ〜５６ｄに対峙する障害物を検知可能な第１検出部５８と、第１〜第４圧力センサ７０ａ〜７０ｄからなり、前記第１〜第４ディスプレイ５６ａ〜５６ｄに付与される荷重を検知可能な第２検出部６０とを同時に備える構成について説明したが、これに限定されるものではなく、前記第１検出部５８又は第２検出部６０のいずれか一方のみを設けるようにしてもよい。
【００５３】
また、ＩＤ表示部５４を構成する第１〜第４ディスプレイ５６ａ〜５６ｄの全てに対して患者情報等を表示させた後、第１及び第２検出部５８、６０によって検出された検出結果に基づいて患者１４に覆われたと判断されるディスプレイの表示のみを消すようにしてもよい。
【００５４】
さらに、第１検出部５８にはフォトセンサの代わりに、周囲の明暗を検知可能な明暗センサを用いるようにしてもよい。この場合には、明暗センサの近傍が暗くなったと検出された場合に、第１〜第４ディスプレイ５６ａ〜５６ｄ近傍が患者１４によって覆われたと判断される。
【００５５】
以上のように、本実施の形態では、放射線検出器４４の収容された放射線検出カセッテ２４のケーシング３４には、４つの壁部３８ａ〜３８ｄにそれぞれＩＤ表示部５４を構成する第１〜第４ディスプレイ５６ａ〜５６ｄが設けられ、複数の第１〜第４ディスプレイ５６ａ〜５６ｄにおいて外部から視認可能なディスプレイが第１及び第２検出部５８、６０の検出結果に基づいて状態判定部１０８で判定され、判定された第１〜第４ディスプレイ５６ａ〜５６ｄのいずれかに対してのみ選択的に患者情報等を表示することができる。その結果、医師１８は、患者情報等が表示され、且つ、患者１４によって覆われていない第１〜第４ディスプレイ５６ａ〜５６ｄのいずれかを介してＩＤ表示部５４を確実且つ容易に視認することができるため、それに伴って、前記患者情報等を確実に確認することができる。
【００５６】
また、放射線検出カセッテ２４に、発光光を発光する発光素子６２と該発光光を受光する受光素子６４とを有する第１検出部５８を設けることにより、前記受光素子６４によって前記発光光が受光された際、該第１検出部５８近傍に設けられた第１〜第４ディスプレイ５６ａ〜５６ｄのいずれかに患者１４が対峙していることを確認することができ、その検出結果に基づいて患者１４が対峙していないディスプレイに対して選択的に患者情報等を表示させることが可能となる。
【００５７】
さらに、放射線検出カセッテ２４に、ケーシング３４における第１〜第４ディスプレイ５６ａ〜５６ｄ近傍に付与される荷重を検出可能な第２検出部６０を設けることにより、前記第２検出部６０によって検出された荷重値に基づいて第１〜第４ディスプレイ５６ａ〜５６ｄのいずれかに患者１４が対峙していることを確認することができ、それに伴って、患者１４が対峙していないディスプレイに対して選択的に患者情報等を表示させることができる。
【００５８】
放射線検出カセッテ２４は、手術室１２等で使用されるとき、血液やその他の雑菌が付着するおそれがある。そこで、放射線検出カセッテ２４を防水性、密閉性を有する構造とし、必要に応じて殺菌洗浄することにより、１つの放射線検出カセッテ２４を繰り返し続けて使用することができる。
【００５９】
放射線検出カセッテ２４は、手術室１２で使用される場合に限られるものではなく、例えば、検診や病院内での回診にも適用することができる。
【００６０】
また、放射線検出カセッテ２４と外部機器との間での無線通信は、通常の電波による通信に代えて、赤外線等を用いた光無線通信で行うようにしてもよい。
【００６１】
図８に示すように放射線検出カセッテ５００を構成すると、一層好適である。
【００６２】
すなわち、放射線検出カセッテ５００には、ケーシング５０２の放射線照射面側に、撮影領域及び撮影位置の基準となるガイド線５０４が形成される。このガイド線５０４を用いて、放射線検出カセッテ５００に対する被写体の位置決めを行い、また、放射線の照射範囲を設定することにより、放射線画像情報を適切な撮影領域に記録することができる。
【００６３】
放射線検出カセッテ５００の撮影領域外の部位には、当該放射線検出カセッテ５００に係る各種情報を表示する表示部５０６を配設する。この表示部５０６には、放射線検出カセッテ５００に記録される被写体のＩＤ情報、放射線検出カセッテ５００の使用回数、累積曝射線量、放射線検出カセッテ５００に内蔵されているバッテリ４８の充電状態（残容量）、放射線画像情報の撮影条件、被写体の放射線検出カセッテ５００に対するポジショニング画像等を表示させる。この場合、技師は、例えば、表示部５０６に表示されたＩＤ情報に従って被写体を確認するとともに、当該放射線検出カセッテ５００が使用可能な状態にあることを事前に確認し、表示されたポジショニング画像に基づいて被写体の所望の撮影部位を放射線検出カセッテ５００に位置決めして、最適な放射線画像情報の撮影を行うことができる。
【００６４】
また、放射線検出カセッテ５００に取手部５０８を形成することにより、当該放射線検出カセッテ５００の取り扱い、持ち運びが容易になる。
【００６５】
放射線検出カセッテ５００の側部には、ＡＣアダプタの入力端子５１０と、ＵＳＢ（Universal Serial Bus）端子５１２と、メモリカード５１４を装填するためのカードスロット５１６とを配設すると好適である。
【００６６】
入力端子５１０は、放射線検出カセッテ５００に内蔵されているバッテリ４８の充電機能が低下しているとき、あるいは、バッテリ４８を充電するのに十分な時間を確保できないとき、ＡＣアダプタを接続して外部から電力を供給することにより、当該放射線検出カセッテ５００を直ちに使用可能な状態とすることができる。
【００６７】
ＵＳＢ端子５１２又はカードスロット５１６は、放射線検出カセッテ５００がコンソール２８等の外部機器との間で無線通信による情報の送受信を行うことができないときに利用することができる。すなわち、ＵＳＢ端子５１２にケーブルを接続することにより、外部機器との間で有線通信による情報の送受信を行うことができる。また、カードスロット５１６にメモリカード５１４を装填し、このメモリカード５１４に必要な情報を記録した後、メモリカード５１４を取り出して外部機器に装填することにより、情報の送受信を行うことができる。
【００６８】
さらに、放射線検出カセッテ５００には、取手部５０８を有した部位以外の３つの壁部３８ａ〜３８ｃにそれぞれ第１〜第３ディスプレイ５６ａ〜５６ｃが形成されると共に、前記第１〜第３ディスプレイ５６ａ〜５６ｃの近傍に障害物の有無を検知可能であって第１〜第３フォトセンサ６６ａ〜６６ｃからなる第１検出部５１７と、前記第１〜第３ディスプレイ５６ａ〜５６ｃ近傍に付与される荷重を検知可能であって第１〜第３圧力センサ７０ａ〜７０ｃからなる第２検出部５１８とがそれぞれ設けられている。
【００６９】
手術室１２や病院内の必要な個所には、図９に示すように、放射線検出カセッテ２４が装填され、内蔵されるバッテリ４８の充電を行うクレードル５１９を配置すると好適である。この場合、クレードル５１９は、バッテリ４８の充電だけでなく、クレードル５１９の無線通信機能又は有線通信機能を用いて、ＨＩＳ、ＲＩＳ、コンソール２８等の外部機器との間で必要な情報の送受信を行うようにしてもよい。送受信する情報には、クレードル５１９に装填された放射線検出カセッテ２４に記録された放射線画像情報を含めることができる。
【００７０】
また、クレードル５１９に表示部５２０を配設し、この表示部５２０に対して、装填された当該放射線検出カセッテ２４の充電状態や、放射線検出カセッテ２４から取得した放射線画像情報を含む必要な情報を表示させるようにしてもよい。  また、複数のクレードル５１９をネットワークに接続し、各クレードル５１９に装填されている放射線検出カセッテ２４の充電状態をネットワークを介して収集し、使用可能な充電状態にある放射線検出カセッテ２４の所在を確認できるように構成することもできる。
【００７１】
なお、本発明は、上述した実施形態に限定されるものではなく、本発明の主旨を逸脱しない範囲で自由に変更できることは勿論である。
【図面の簡単な説明】
【００７２】
【図１】本実施の形態に係るカセッテが用いられた放射線画像撮影システムの設置された手術室の説明図である。
【図２】放射線検出カセッテの一部切欠外観斜視図である。
【図３】図２に示す放射線検出カセッテの側面図である。
【図４】図２に示す放射線検出カセッテの平面図である。
【図５】放射線検出器の回路構成ブロック図である。
【図６】放射線画像撮影システムの構成ブロック図である。
【図７】図１の放射線検出カセッテが患者の患部に設置された状態を示す拡大平面図である。
【図８】放射線検出カセッテの他の構成図である。
【図９】放射線カセッテの充電を行うクレードルの構成図である。
【符号の説明】
【００７３】
１０…放射線画像撮影システム        １２…手術室
１４…患者                          １６…手術台
２２…撮影装置                      ２４、５００…放射線検出カセッテ
２６…表示装置                      ２８…コンソール
３４、５０２…ケーシング            ３８ａ〜３８ｄ…壁部
４４…放射線検出器                  ５０…カセッテ制御部
５２、９８、１１６…送受信機        ５４…ＩＤ表示部
５６ａ〜５６ｄ…第１〜第４ディスプレイ
５８、５１７…第１検出部            ６０、５１８…第２検出部
６６ａ〜６６ｄ…第１〜第４フォトセンサ
７０ａ〜７０ｄ…第１〜第４圧力センサ
１０８…状態判定部
【図１】
0004805306.tif 000002
【図２】
0004805306.tif 000003
【図３】
0004805306.tif 000004
【図４】
0004805306.tif 000005
【図５】
0004805306.tif 000006
【図６】
0004805306.tif 000007
【図７】
0004805306.tif 000008
【図８】
0004805306.tif 000009
【図９】
0004805306.tif 000010